(57)【要約】【課題】運搬作業や設置作業の簡素化を図り、建築コストの増大を最小限に抑制し、用途の拡大化を図る。【解決手段】本発明に係る太陽光発電装置１０は、回転可能な巻き軸２１に巻回されたシート状の太陽電池２２を内部に収容すると共に太陽電池２２を外部に引出し可能に形成されたユニットボックス１１が複数個連結されたユニットバー１３を備え、ユニットバー１３は所定の剛性を有していることを特徴とする。【選択図】図１
2011216544.tif 000002
【特許請求の範囲】
【請求項１】
回転可能な巻き軸に巻回されたシート状の太陽電池を内部に収容すると共に該太陽電池を外部に引出し可能に形成されたユニットボックスが複数個連結されたユニットバーを備え、該ユニットバーは所定の剛性を有していることを特徴とする太陽光発電装置。
【請求項２】
前記ユニットボックスは、隣接するユニットボックスに連結可能且つ連結解除可能に設けられている請求項１に記載の太陽光発電装置。
【請求項３】
前記ユニットバーは、前記ユニットボックスに連結可能且つ連結解除可能な電源ユニットを備え、該電源ユニットにはバッテリが収納されている請求項１又は２に記載の太陽光発電装置。
【請求項４】
前記ユニットボックスは、蓋体によって開閉可能な開口部を備え、前記太陽電池は前記開口部を介して前記ユニットボックスに着脱可能に設けられ、前記太陽電池を前記ユニットボックスから取り外した時に作動する警報設備を備えている請求項１〜３のいずれか１の請求項に記載の太陽光発電装置。
【請求項５】
前記ユニットバーは、前記各ユニットボックス同士の連結を解除した時に作動する警報設備を備えている請求項１〜４のいずれか１の請求項に記載の太陽光発電装置。
【発明の詳細な説明】
【技術分野】
【０００１】
本発明は、太陽電池を使用して発電するための太陽光発電装置に関し、特に、外部に引出し可能に巻回されたシート状の太陽電池を内部に収容するユニットボックスが複数個連結されて構成されたユニットバーを備えた太陽光発電装置に関するものである。
【背景技術】
【０００２】
近年、二酸化炭素の排出による地球温暖化現象に対する危機感の高まりに伴い、クリーンなエネルギーの供給源として太陽電池を利用した太陽光発電装置が注目されている。
【０００３】
この種の従来の太陽光発電装置としては、建築物の屋根上などに太陽電池を設置したものがよく知られている（例えば、特許文献１〜３参照）。
【先行技術文献】
【特許文献】
【０００４】
【特許文献１】特開２００２−２１２５９号公報
【特許文献２】特開２００２−２８９９０３号公報
【特許文献３】特開２００５−２４１０７９号公報
【発明の概要】
【発明が解決しようとする課題】
【０００５】
しかしながら、上記した従来の太陽光発電装置では、太陽電池が建築物の屋根上などに固定されており、装置が大掛かりになるため、運搬作業や設置作業に手間が掛かるといった問題があった。
【０００６】
また、太陽電池の重量に耐えるのに十分な構造補強を建築物に対して行う必要があるため、太陽光発電装置の設置コストに加えて構造補強のコストが必要となり、その結果、全体の建築コストが増大するといった問題もあった。
【０００７】
さらに、上記問題のため、地震等の災害時に利用したり、或いは生産工場や建設現場などの仮設の建物に設置したりすることが難しく、用途の拡大化が図り難いといった問題もあった。
【０００８】
本発明は、上記した課題を解決すべくなされたものであり、運搬作業や設置作業を容易に行うことができ、建築コストの増大を最小限に抑制することができ、災害時や仮設の建物にも簡単に使用することができ、用途の拡大化を図ることのできる太陽光発電装置を提供することを目的とするものである。
【課題を解決するための手段】
【０００９】
上記した目的を達成するため、本発明に係る太陽光発電装置は、回転可能な巻き軸に巻回されたシート状の太陽電池を内部に収容すると共に該太陽電池を外部に引出し可能に形成されたユニットボックスが複数個連結されたユニットバーを備え、該ユニットバーは所定の剛性を有していることを特徴とする。
【００１０】
そして、本発明に係る太陽光発電装置の前記ユニットボックスは、隣接するユニットボックスに連結可能且つ連結解除可能に設けられているのが好ましい。
【００１１】
また、本発明に係る太陽光発電装置の前記ユニットバーは、前記ユニットボックスに連結可能且つ連結解除可能な電源ユニットを備え、該電源ユニットにはバッテリが収納されているのが好ましい。
【００１２】
さらに、本発明に係る太陽光発電装置の前記ユニットボックスは、蓋体によって開閉可能な開口部を備え、前記太陽電池は前記開口部を介して前記ユニットボックスに着脱可能に設けられ、前記太陽電池を前記ユニットボックスから取り外した時に作動する警報設備を備えているのが好ましい。
【００１３】
さらにまた、本発明に係る太陽光発電装置の前記ユニットバーは、前記各ユニットボックス同士の連結を解除した時に作動する警報設備を備えているのが好ましい。
【発明の効果】
【００１４】
本発明によれば、太陽光発電装置を災害時や仮設の建物にも簡単に使用することができ、太陽光発電装置の用途の拡大化を図ることができる。
【００１５】
また、運搬作業や設置作業を容易に行うことができ、建築コストの増大を最小限に抑制することができる等、種々の優れた効果を得ることができる。
【図面の簡単な説明】
【００１６】
【図１】本発明の実施の形態に係る太陽光発電装置を示す正面図である。
【図２】図１のＡ−Ａ断面図である。
【図３】図２のＢ−Ｂ断面図である。
【図４】本発明の実施の形態に係る太陽光発電装置の一設置例を示す模式図である。
【図５】本発明の実施の形態に係る太陽光発電装置の別の設置例を示す模式図である。
【発明を実施するための形態】
【００１７】
以下、図面を参照しつつ、本発明の実施の形態について説明する。ここで、図１は本発明の実施の形態に係る太陽光発電装置を示す正面図、図２は図１のＡ−Ａ断面図、図３は図２のＢ−Ｂ断面図、図４は本発明の実施の形態に係る太陽光発電装置の一設置例を示す模式図、図５は本発明の実施の形態に係る太陽光発電装置の別の設置例を示す模式図である。
【００１８】
図１に示されているように、本実施の形態に係る太陽光発電装置１０は、複数個（図１では３個）のユニットボックス１１と、電源ユニット１２とが長手方向に連結されたユニットバー１３によって構成されており、このユニットバー１３には、所要数（図１では２個）の長さ調整ユニット１４が必要に応じて連結されるようになっている。
【００１９】
ユニットボックス１１は、例えば、スチール、ステンレス、木等の剛性を有する素材により蒲鉾型に形成されており、大人が一人で持ち運び可能な、例えば、長さが６０ｃｍ程度の大きさを有している。ユニットボックス１１の湾曲部分には開口部が形成されており、この開口部はユニットボックス本体に背面側縁部が枢設された蓋体１５によって開閉可能となっており、蓋体１５の正面側には蓋体１５の先端縁部に沿って摘み部１６が突設されている。
【００２０】
ユニットボックス１１の左右両側板１７Ｌ，１７Ｒにはフランジ部１８が形成されており、ユニットボックス１１は、このフランジ部１８同士をボルト・ナット（図示省略）等の締結具で締め付けることにより、隣接するユニットボックス１１と連結可能となっており、また、前記締結具を取り外すことにより、隣接するユニットボックス１１との連結が解除されるようになっている。そして、ユニットボックス１１には、各ユニットボックス１１同士の連結を解除した時に作動する警報設備として警報ブザー及び点滅ランプ１９が設けられている。
【００２１】
ユニットボックス１１の左右両側板１７Ｌ，１７Ｒの内面略中央部には、それぞれ軸受部２０Ｌ，２０Ｒが設けられ、軸受部２０Ｌ，２０Ｒに巻き軸２１の両端部が回転可能且つ着脱可能に支持されている。巻き軸２１にはシート状の太陽電池２２が巻回されており、前記開口部を介してこの太陽電池２２が巻回された巻き軸２１をユニットボックス１１内に着脱可能となっている。また、ユニットボックス１１には、太陽電池２２が巻回された巻き軸２１を軸受部２０Ｌ，２０Ｒから取り外した時に作動する警報設備として警報ブザー及び点滅ランプ１９が設けられている。
【００２２】
さらに、巻き軸２１には、太陽電池２２を巻き軸２１に巻き取る方向に付勢する渦巻きバネ（図示省略）と、巻き軸２１の同軸上に設けられたギヤと係合することにより前記渦巻きバネの付勢力に抗して巻き軸２１の回転動作を拘束するストッパ（図示省略）とが設けられている。
【００２３】
太陽電池２２としては、ガラス又はプラスチック基板を用いた軽量で薄型のアモルファスシリコン系の太陽電池が使用される他、有機系の太陽電池を使用することもできる。太陽電池２２の先端側縁部には、棒状の把手部材２３が固定されており、把手部材２３にはフック金具２４が取り付けられている。
【００２４】
また、ユニットボックス１１には、スリット状の溝部２５が巻き軸２１の軸方向に沿って切欠されており、蓋体１５を閉めると、この溝部２５と蓋体１５の先端縁部によってスリット状の孔が形成されるようになっている。太陽電池２２は、把手部材２３を引っ張ることにより溝部２５からユニットボックス１１の外側下方に向かって引出されると共に、把手部材２３がこの溝部２５の周囲と蓋体１５の先端縁部に当接することにより太陽電池２２の先端部分がユニットボックス１１内に入り込むのを防止できるようになっている。なお、溝部２５からユニットボックス１１内へ雨水等が浸入するのを防止するため、溝部２５の周囲に合成ゴム等で防水処理を施してもよい。
【００２５】
さらに、ユニットボックス１１の内部には、太陽電池２２と左右両側板１７Ｌ，１７Ｒとの間にそれぞれケーブル２６Ｌ，２６Ｒが配線されており、各ケーブル２６Ｌ，２６Ｒの先端にはコネクタ２７Ｌ，２７Ｒが取り付けられている。
【００２６】
電源ユニット１２は、ユニットボックス１１と同様の形状を成し、内部にはバッテリ（図示省略）が収納されている。電源ユニット１２の正面パネル２８には、バッテリの残容量や電圧等を表示する表示部２９や、電源スイッチ３０及びコンセント３１などが設けられている。また、電源ユニット１２の左右両側板には、ユニットボックス１１と同様に、フランジ部（図示省略）が形成されており、電源ユニット１２はこのフランジ部を介してユニットボックス１１に連結可能且つ連結解除可能となっている。
【００２７】
長さ調整ユニット１４は、ユニットボックスと同様の形状を成し、内部には左右両側板の間に渡りケーブル（図示省略）が配線されており、渡りケーブルの先端にはユニットボックス１１のコネクタ２７Ｌ，２７Ｒに接続可能なコネクタ（図示省略）が取り付けられている。また、長さ調整ユニット１４の左右両側板には、ユニットボックス１１や電源ユニット１２と同様に、フランジ部（図示省略）が形成されており、長さ調整ユニット１４はこのフランジ部を介してユニットボックス１１又は電源ユニット１２に連結可能且つ連結解除可能となっている。
【００２８】
次に、図面を参照しつつ、上記した構成を備えた本発明の実施の形態に係る太陽光発電装置１０の設置方法及び作用について説明する。
【００２９】
図４は太陽光発電装置１０を仮設足場３２に設置する一例を示しており、この場合、先ず、仮設足場３２の長さに合うように、ユニットボックス１１と電源ユニット１２を長手方向に連結し、必要に応じて長さ調整ユニット１４を連結させて長さを調整した上でユニットバー１３を仮設足場３２上に固定する。次いで、ユニットボックス１１の蓋体１５を開放し、太陽電池２２を巻き付けた巻き軸２１を軸受部２０Ｌ，２０Ｒに取り付け、把手部材２３を溝部２５の外側に引出し、蓋体１５を閉める。その後、把手部材２３を引っ張り、溝部２５から太陽電池２２を外側下方に向かって所定長引出し、フック金具２４にアンカー３３を係止して地面に打ち付けることにより太陽電池を固定すると共に、前記ストッパをギヤに係合させて巻き軸２１の回転を拘束する。
【００３０】
また、図５は太陽光発電装置１０を防災テント３４に設置した一例を示しており、この場合、ユニットボックス１１や電源ユニット１２が連結された所定長のユニットバー１３は防災テント３４近くの地上に設置される。この時、ユニットバー１３は架台３５上に固定され、溝部２５から外側下方に引出された太陽電池２２は架台３５に設けられたローラ３６，３７によって斜め上方に向きを変えられた上で、フック金具２４を介して防災テント３４に固定される。
【００３１】
そして、このように仮設足場３２や既存建築物３４などに設置された太陽電池２２に太陽光が照射されると、太陽電池２２において電力が発生し、その電力はケーブル２６Ｌ，２６Ｒ及び前記渡りケーブル等を介して電源ユニット１２のバッテリに充電される。このバッテリに充電された電力は、コンセント３１に電源コードを差し込むことにより必要に応じて使用することができる。
【００３２】
このように上記した本実施の形態に係る太陽光発電装置１０によれば、ユニットバー１３が所定の剛性を有する一体構造となっているため、上記例示した場所の他、例えば、工事現場や生産工場の仮設建物や防災テントの梁、柱等の構造体や手摺等の部材としても利用することができる。また、設置場所に合わせて、ユニットバー１３の長さや太陽電池２２の長さを簡単に調整することができると共に、ローラ３６，３７を備えた架台３５などを利用することにより、太陽電池２２の引出し方向を任意に変更することもできる。したがって、太陽光発電装置１０の用途の拡大化を図ることができる。
【００３３】
さらに、ユニットボックス１１や電源ユニット１２などを連結するだけで簡単に組み立て及び撤去を行うことができるため、設置及び撤去作業の簡素化を図ることができると共に、増設作業も簡単に行うことができる。また、雨天時等、太陽光発電に適さない場合には、太陽電池２２をユニットボックス１１内に簡単に収納させることができるため、保管スペースを最小限に抑えることができる。
【００３４】
さらにまた、電源ユニット１２の持ち運びも簡単且つ自由であるため、災害時や緊急時でも簡単にバッテリから電力を取り出し、照明や機器の電源等に利用することができると共に、二酸化炭素の排出量を軽減することができる。
【００３５】
さらに、ユニットボックス１１、電源ボックス１２、太陽電池を巻回した巻き軸２１などの太陽光発電装置１０のパーツを分解して簡単に搬送することができるため、大量輸送が可能となり、搬送コストの低減化を図ることが可能となる。
【００３６】
また、太陽電池２２は軽量でフレキシブル性に富んでおり、巻いた状態で現場に搬入して簡単且つ安全に施工することができるため、施工性の向上及び設置コストの低減化を図ることもできる。
【符号の説明】
【００３７】
１０          太陽光発電装置
１１          ユニットボックス
１２          電源ユニット
１３          ユニットバー
１５          蓋体
１９          点滅ランプ（警報設備）
２１          巻き軸
２２          太陽電池
【図１】
2011216544.tif 000003
【図２】
2011216544.tif 000004
【図３】
2011216544.tif 000005
【図４】
2011216544.tif 000006
【図５】
2011216544.tif 000007